(57)【要約】【課題】  複数の励磁コイルを制御する場合に、他方の励磁コイルの引き出し線と励磁コイル間で発生する相互誘導作用を防止させる誘導加熱定着装置を備える画像形成装置を提供すること。【解決手段】  他のコイルの近傍を通るコイルの引き出し線は、入力、出力線を近接させたペアー線とすることを特徴とする誘導加熱定着装置を備える画像形成装置。【選択図】        図５
2005215124.tif 000002
【特許請求の範囲】
【請求項１】
定着ローラ部材の軸方向に巻かれる複数の横長コイルを用いて、紙種に応じて各コイル電流を制御して、定着ローラ部材の軸方向の温度分布を制御する誘導加熱定着器を備える画像形成装置において、
他のコイルの近傍を通るコイルの引き出し線は、入力、出力線を近接させたペアー線とすることを特徴とする誘導加熱定着装置を備える画像形成装置。
【発明の詳細な説明】
【技術分野】
【０００１】
本発明は、複写機、プリンタ、ＦＡＸ等の電子写真方式の画像形成に用いられる誘導加熱定着装置を備える画像形成装置に関する。
【背景技術】
【０００２】
従来より、複写機、プリンタ、ＦＡＸ等の電子写真方式の画像形成装置に設けられ、定着ローラ部材（加熱ローラ）と、当該加熱ローラに圧接・当接される加圧ローラ部材（加圧ローラ）とを有する誘導加熱定着装において、加熱に要する時間を短縮するものが知られている（特許文献１参照。）。
【０００３】
また、電磁誘導加熱方式の定着装置（誘導加熱定着装置）の励磁コイルを加熱効率が高いコイルとすることが出来、またウォームアップ時間を短縮し、クイックスタートが可能で、省電力化され、尚且つ用紙サイズの違いにより起きる非通紙部分の温度上昇を低減することができる励磁コイル、加熱ローラ（定着ローラ部材）、および加熱ローラの加熱方式を提供するものが知られている（特許文献２参照。）。
【特許文献１】特開平７−３１９３１２号公報
【特許文献２】特開２００３−２１５９５４号公報
【発明の開示】
【発明が解決しようとする課題】
【０００４】
しかしながら、複数の励磁コイルを制御する場合に、他方の励磁コイルの引き出し線と励磁コイル間で発生する相互誘導作用を防止する必要がある。
【０００５】
本発明は上記の不具合を解消し、複数の励磁コイルを制御する場合に、他方の励磁コイルの引き出し線と励磁コイル間で発生する相互誘導作用を防止させる誘導加熱定着装置を備える画像形成装置を提供することを目的とする。
【課題を解決するための手段】
【０００６】
上記目的は、定着ローラ部材の軸方向に巻かれる複数の横長コイルを用いて、紙種に応じて各コイル電流を制御して、定着ローラ部材の軸方向の温度分布を制御する誘導加熱定着器を備える画像形成装置において、他のコイルの近傍を通るコイルの引き出し線は、入力、出力線を近接させたペアー線とすることを特徴とする誘導加熱定着装置を備える画像形成装置によって達成される。
【０００７】
本発明は上記の如き構成をとることにより、複数の励磁コイルを制御する場合に、他方の励磁コイルの引き出し線と励磁コイル間で発生する相互誘導作用が防止される誘導加熱定着装置を備える画像形成装置の提供を図るものである。
【発明の効果】
【０００８】
本発明によれば、異なる電力制御ラインを持つ引出し線と励磁コイルルの関係を有し、異なる電力制御ラインなのであるが、電磁的な結合を無くし、複数の励磁コイルを制御する場合に、他方の励磁コイルの引き出し線と励磁コイル間で発生する相互誘導作用が防止される誘導加熱定着装置を備える画像形成装置の提供が可能となる。
【発明を実施するための最良の形態】
【０００９】
以下、本願発明の実施の形態を説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００１０】
（１）本発明にかかわる誘導加熱定着装置を備える画像形成装置について、図１にて以下に述べる。
【００１１】
本発明の画像形成装置は、画像処理後のデータに従って像担持体としての感光体ドラム１０上に像露光を行う像露光手段としての露光装置１２、感光体ドラム１０及びその周囲に、帯電手段としての帯電極１１、現像剤担持体を有する磁気ブラシ型現像装置からなる現像手段としての現像器１３、転写分離手段としての転写分離極１４、クリーニング手段としてのクリーニング装置１９等の画像形成手段と、転写材上（記録紙Ｐ上）のトナー像を溶融定着する誘導加熱定着装置１７とを有している。
【００１２】
不図示の画像読取装置により読み取られ、メモリに格納されている画像データが画像形成に応じて呼び出され、当該画像データに従って、例えばレーザ光学系を用いる露光装置１２により感光体ドラム１０上に像露光が行われる。
【００１３】
当該像露光に先立ち、矢印で示す時計方向に回転される感光体ドラム１０は、帯電極１１のコロナ放電作用により所定の表面電位を付与されているが、像露光による潜像部位の電位が露光量に応じて減じ、結果として、画像データに応じた静電潜像が感光体ドラム１０上に形成される。
【００１４】
静電潜像は、現像器１３に設けられる現像剤担持体としての現像ローラ（符号なし）により、帯電極性と同極性（本実施形態においては現像に使用されるトナー極性をマイナス極性とし、帯電極性をマイナス極性とする）のトナー（トナー粉末）を用いて反転現像され、可視化されたトナー像とされる。また図に示すように、現像器１３には、現像位置に対して感光体ドラム１０の回転方向上流側に、現像ウレタンシート１３ｂが設けられる。
【００１５】
一方、感光体ドラム１０上のトナー像の先端部が転写分離極１４の転写領域に到達する前に、給紙トレイ（不図示）内の転写材としての記録紙Ｐが、送り出しローラ（不図示）により給送されてレジストローラ１６に到達し、先端規制される。
【００１６】
記録紙Ｐは、トナー像、即ち感光体ドラム１０上の画像領域と重畳するように、同期を取って回転を開始するレジストローラ１６により、帯電手段および転写手段である転写分離極１４の転写領域に向けて搬送される。
【００１７】
転写領域において、感光体ドラム１０上のトナー像は転写分離極１４の転写コロナ放電により記録紙Ｐ上への転写が行われ、該記録紙Ｐは転写分離極１４の分離コロナ放電による除電により感光体ドラム１０から分離される。
【００１８】
トナー像が転写された記録紙Ｐは、誘導加熱定着装置１７の加熱部材としての第１の励磁コイルＬＣＬａ１（および第２の励磁コイルＬＣＬａ２）により誘導電流によって加熱される定着ローラ部材としての加熱ローラ１７ａと、加圧部材としての加圧ローラ４７ａとの間で形成されるニップ部Ｎで加圧と加熱とにより、トナー像を形成するトナー粉末（トナー）が記録紙Ｐ上に溶融定着され、当該記録紙Ｐは、装置外部に排紙される。
【００１９】
転写後の感光体ドラム１０の周面上に残った転写残トナーは、例えば導電性ブラシを用いるクリーニングローラ１９１ｃと、クリーニング部材としてのクリーニングブレード１９１ａを備えるブレードユニット１９０とからなるクリーニング装置１９によりクリーニングされ、該クリーニング装置１９内に回収され、搬送スクリュー１９１ｈにより不図示のトナー回収容器に回収される。また、ブレードユニット１９０には交換用のクリーニング部材としてのクリーニングブレード１９１ｂが設けられる。
【００２０】
感光体ドラム１０上の転写残トナーがクリーニング装置１９により回収された後、画像形成装置は次の画像形成サイクルに入る。
【００２１】
なお、上記画像形成装置の説明においては、モノクロ画像形成にて説明したが、カラー画像を形成する場合も本発明に含まれるものである。
【００２２】
（２）本発明にかかわる加熱部材の引出線について、図２ないし図５を用いて以下に説明する。図２は、加熱部材の引出線の従来例であり、図３は、本発明にかかわる加熱部材の回路ブロック図であり、図４は、図２の上面図と図２の誘導加熱定着装置の装置概要断面図とを示す図であり、図５は、本発明の加熱部材の引出線と本発明にかかわる誘導加熱定着の装置概要断面図とである。
【００２３】
図２によれば、第２の励磁コイル引出線Ａａでの他の励磁コイル（第１の励磁コイルＬＣＬａ１）への影響があるということは、第２の励磁コイル引出線Ａａがコイルの形を形成していることが原因となっている為であり、第２の励磁コイル引出線Ａａがコイルを形成しないように構成することで、第１の励磁コイルＬＣＬａ１と第２の励磁コイル引出線Ａａとの影響を防ぐことが出来る。
【００２４】
また図３に示すように、ＣＰＵの制御により、それぞれのＩＨインバータ回路を通して第１の励磁コイルＬＣＬａ１および第２の励磁コイルＬＣＬａ２を流れる電流が制御される。
【００２５】
図４によれば、つまり、コアＣＫａを中心にして考えると、図４（Ａ）と図４（Ｂ）とに示すように、第２の励磁コイル引出線Ａと第２の励磁コイル引出線ＢとがコアＣＫａを挟む様に配置した場合、全く逆な方向に流れる２つの引出し線（第２の励磁コイル引出線Ａおよび第２の励磁コイル引出線Ｂ）から発生する磁力線も全く逆方向となるが、コアＣＫａを挟んで対抗しているため、コアＣＫａ内流れる磁力線は同じ向きとなり、引き出し線（第２の励磁コイル引出線Ａおよび第２の励磁コイル引出線Ｂ）から発生される磁力線が集中する結果、コイルが形成されたことなる。
【００２６】
本発明は、図５（Ａ）に示すように、第２の励磁コイル引出線Ａと第２の励磁コイル引出線Ｂとを近接させて配置したものであり、今度は全く逆な方向に流れる２つの引出し線（第２の励磁コイル引出線Ａおよび第２の励磁コイル引出線Ｂ）から発生する磁力線も全く逆方向となるが、その引出し線を近接させている為、お互いの磁力線がキャンセルされて、コイルの働きをしなくなる。
【００２７】
その結果、第２の励磁コイル引出線Ａと第２の励磁コイル引出線Ｂとが他のコイル（第１の励磁コイルＬＣＬａ１）へ影響を与えることや、またお互い励磁コイルから影響を受けることも無くなる。
【００２８】
また、加熱部材を用いる本発明にかかわる誘導加熱定着装置１７は、図５（Ｂ）と前述した図５（Ａ）とに示すように、それぞれのコアＣＫａを中心として、第１の励磁コイルＬＣＬａ１と第１のコイルボビンＣＬＢ１、及び第２の励磁コイルＬＣＬａ２と第２のコイルボビンＣＬＢ２がその外側に配設され、さらにその外側に加熱部材としての加熱ローラ１７ａが配設され、当該加熱ローラ１７ａに圧着されて加圧部材としての加圧ローラ４７ａが配設されて誘導加熱定着装置１７が構成される。第２の励磁コイルＬＣＬａ２から第２の励磁コイル引出線Ａ、Ｂを入力線と出力線とを近接させたペアー線としたものが引出すされ、また、第１の励磁コイルＬＣＬａ１から第１の励磁コイル引出線Ｃが引出される。加熱ローラ１７ａと加圧ローラ４７ａとの間で形成されるニップ部Ｎにおいて、熱と圧力とによって記録紙Ｐ上のトナー像（或いはカラートナー像）が定着される。
【００２９】
本発明は上記の如き構成をとることにより、複数の励磁コイルを制御する場合に、他方の励磁コイルの引き出し線と励磁コイル間で発生する相互誘導作用が防止される誘導加熱定着装置を備える画像形成装置が得られる。
【図面の簡単な説明】
【００３０】
【図１】本発明にかかわる誘導加熱定着装置を備える画像形成装置の概略断面構成図である。
【図２】加熱部材の引出線の従来例である。
【図３】本発明にかかわる加熱部材の回路ブロック図である。
【図４】図２の上面図と図２の誘導加熱定着装置の装置概要断面図とを示す図である。
【図５】本発明の加熱部材の引出線と本発明にかかわる誘導加熱定着の装置概要断面図とである。
【符号の説明】
【００３１】
１０  感光体ドラム
１１  帯電極
１２  露光装置
１３  現像器
１４  転写分離極
１７  誘導加熱定着装置
１７ａ  加熱ローラ
４７ａ  加圧ローラ
Ａ，Ａａ，Ｂ  第２の励磁コイル引出線
Ｃ，Ｃａ  第１の励磁コイル引出線
ＣＬＢ１  第１のコイルボビン
ＣＬＢ２  第２のコイルボビン
ＬＣＬａ１  第１の励磁コイル
ＬＣＬａ２  第２の励磁コイル
Ｎ  ニップ部
Ｐ  記録紙
【図１】
2005215124.tif 000003
【図２】
2005215124.tif 000004
【図３】
2005215124.tif 000005
【図４】
2005215124.tif 000006
【図５】
2005215124.tif 000007